(57)【特許請求の範囲】
【請求項１】
映像表示装置において、
前記映像表示装置の各種動作を操作するための少なくとも一つの第１グループのタッチキーと少なくとも一つの第２グループのタッチキーとを備えたタッチ式の操作部と、
前記操作部に設けられて前記第１及び第２グループのタッチキーをそれぞれ照射する第１及び第２グループの光源とを備え、
前記映像表示装置は、前記タッチキーのタッチ操作に応じて少なくとも前記第１または第２グループの光源の点消灯状態を制御し、また前記タッチキーのタッチ操作に応じて所定の前記映像表示装置の動作を実行し、
前記第２グループのタッチキーは電源操作に係り、前記第１グループのタッチキーは電源操作以外の操作に係ること
を特徴とする映像表示装置。
【請求項２】
表示部を更に備え、
前記表示部にＯＳＤ（オン・スクリーン・ディスプレイ）表示を行うか否かを操作項目毎に設定する設定部と、
ＯＳＤ表示を行わないと設定された操作項目について操作が行われたときは、前記ＯＳＤ表示に代えて前記第１グループの光源の点消灯を制御する点消灯制御部と
を備えたことを特徴とする請求項１に記載の映像表示装置。
【請求項３】
前記第１グループのタッチキーは、前記ＯＳＤ表示の対象となる項目を操作するタッチキーを含み、
前記点消灯制御部は、ＯＳＤを行わないと設定された設定項目について操作が行われたときは、前記第１グループの光源を制御してこの操作項目に対応するタッチキーの点消灯を制御することを特徴とする請求項２に記載の映像表示装置。
【請求項４】
前記第１グループのタッチキーは、前記ＯＳＤ表示の対象となる項目を操作するタッチキーを含み、
前記点消灯制御部は、ＯＳＤを行わないと設定された設定項目について操作が行われたときは、この操作項目の現在レベルを表すように前記第１グループの連続するタッチキーを照射する前第１グループの光源の点消灯を制御することを特徴とする請求項２に記載の映像表示装置。
【請求項５】
前記操作項目が音声ボリュームのアップまたはダウンを含むことを特徴とする請求項３又は４に記載の映像表示装置。
【請求項６】
前記第１グループのタッチキーは、音声ボリュームのアップ及びダウンを操作する２つのタッチキーを含み、
前記第１グループの光源は、前記２つのタッチキーそれぞれを照射する表示色の異なる他の光源を更に備え、
前記点消灯制御部は、ＯＳＤを行わないと設定された項目が音声ボリュームまたは音声ミュートであって、音声ミュートについて操作が行われたときは、前記他の光源の点消灯を制御することを特徴とする請求項２に記載の映像表示装置。
【請求項７】
前記映像表示装置は、
前記第１グループのタッチキーの一つが操作された際、当該タッチキーの操作を有効とせずに前記第１グループの光源を点灯し、前回のタッチキー操作に続く所定期間内に前記第１グループのタッチキーの一つが操作された際、前記第１グループの光源を消灯し、また、当該タッチキーの操作を有効とすること
を特徴とする請求項１に記載の映像表示装置。
【請求項８】
前記映像表示装置は、前記第２のグループのタッチキーに対応する所定の状態においては、当該タッチキーに対応する点灯状態に前記第２のグループの光源を制御し、
当該タッチキーが操作された際、当該タッチキーの操作を有効とすることを特徴とする請求項７に記載の映像表示装置。
【請求項９】
前記映像表示装置は、
前記第１グループのタッチキーの一つが操作された際、当該タッチキーの操作を有効とせずに前記第１グループの光源を点灯し、前回のタッチキー操作に続く所定期間内に前記第１グループのタッチキーの一つが操作された際、当該タッチキーを点灯し、また、当該タッチキーの操作を有効とすることを特徴とする請求項１に記載の映像表示装置。
【請求項１０】
前記第１グループの光源は、前記第１グループのタッチキーを一括して両側から照射する第１の照射手段と第２の照射手段とを含むことを特徴とする請求項７に記載の映像表示装置。
【請求項１１】
前記第２グループの光源は、前記第２グループのタッチキーを個別に照射する照射手段を含むことを特徴とする請求項１０に記載の映像表示装置。
【発明の詳細な説明】
【技術分野】
【０００１】
本発明の実施の形態は、点灯式のキーモジュールを備えた映像表示装置に関する。
【背景技術】
【０００２】
映像表示装置であるデジタルテレビジョン放送受信装置には、アンテナで受信した映像にその映像に関係したガイダンスなどの映像を重畳して表示するＯＳＤ（On Screen Display）表示機能が設けられている。このＯＳＤ表示には、例えば、音量を調節する際のボリューム表示、受信チャンネルを切り替える際のチャンネル番号表示などがある。
【０００３】
一方、上述の操作を行う度にＯＳＤ表示がなされると、画面上で見たい情報或いは映像シーンが隠されるという不都合が生ずる。このため、オンスクリーンディスプレイ用の映像表示モードとして、通常表示モードと、ＯＳＤ表示カットモードとの２つのモードを設けた技術が開示されている（例えば、特許文献１参照）。
【先行技術文献】
【特許文献】
【０００４】
【特許文献１】特開２００７−２５１４１８号公報
【発明の概要】
【発明が解決しようとする課題】
【０００５】
近年デジタル化に伴う多機能化により、デジタルテレビジョン放送受信装置を操作するためのリモートコントローラには、多数の操作キーが設けられ、操作機能が複雑化している。従って、ユーザが簡便にかつ効率的に操作が行えるよう、頻繁に使用される操作機能については、リモートコントローラのみでなくデジタルテレビジョン表示パネル９０にも操作キーが設けられている。
【０００６】
例えば、ＯＳＤ表示の対象となっている音量調整操作、受信チャンネル選択操作などは、頻繁に使用される操作機能であるため、リモートコントローラのみでなくデジタルテレビジョン表示パネル９０にも操作キーが設けられている。
【０００７】
ところで、表示パネル９０に設けられた操作キーは、異なる機能の操作キーであっても同様の形状で画一的に配置されているため、操作のための所望のキーを検索するのに手間取る場合がある。また、ＯＳＤ表示カットモードにおいてはスクリーン上に表示がされないため、ＯＳＤ表示に代る表示が求められる。従って、ＯＳＤ表示モードを使用するときと同様の効果を安価にかつ簡便に提供できる代替方法が求められる。
【課題を解決するための手段】
【０００８】
上記課題を解決するための本発明の実施の形態によれば、映像表示装置の各種動作を操作するための少なくとも一つの第１グループのタッチキーと少なくとも一つの第２グループのタッチキーとを備えたタッチ式の操作部と、前記操作部に設けられて前記第１及び第２グループのタッチキーをそれぞれ照射する第１及び第２グループの光源とを備え、前記映像表示装置は、前記タッチキーのタッチ操作に応じて少なくとも前記第１または第２グループの光源の点消灯状態を制御し、また前記タッチキーのタッチ操作に応じて所定の前記映像表示装置の動作を実行し、前記第２グループのタッチキーは電源操作に係り、前記第１グループのタッチキーは電源操作以外の操作に係る映像表示装置が提供される。
【図面の簡単な説明】
【０００９】
【図１】本実施の形態の映像表示装置であるデジタルテレビジョン放送受信装置の主要な信号処理系を示す図。
【図２】本実施の形態の映像表示装置に用いられるリモートコントローラの外観を示す図。
【図３】本実施の形態の映像表示装置の表示パネルの外観を示す図。
【図４】本実施の形態映像表示装置の操作部の構成を示す図。
【図５】本実施の形態の映像表示装置の第１のグループのキーの動作を説明するための図。
【図６】本実施の形態の映像表示装置の第１のグループのキーの動作を示すフロー図。
【図７】本実施の形態の映像表示装置のＯＳＤ表示の有無を設定する手順を示すフロー図。
【図８】本実施の形態の映像表示装置のＯＳＤ表示設定の表示階層を示す図。
【図９】本実施の形態の映像表示装置の音量（ＶＯＬＵＭＥ）を調節する際の動作を示すフロー図。
【図１０】本実施の形態の映像表示装置のＯＳＤ表示がＯＮのときのＶＯＬＵＭＥ表示の方法を説明する図。
【図１１】本実施の形態の映像表示装置のＯＳＤ表示がＯＦＦのときのＶＯＬＵＭＥ表示の方法を説明する図。
【図１２】バリエーションの形態のＯＳＤ表示がＯＦＦのときのＶＯＬＵＭＥ表示の方法を説明する図。
【図１３】バリエーションの形態のＯＳＤ表示がＯＦＦのときのミュート表示の方法を説明する図。
【発明を実施するための形態】
【００１０】
[第１の実施の形態]
図１は、本実施の形態の映像表示装置であるデジタルテレビジョン放送受信装置４１の主要な信号処理系を示す図である。ＢＳ／ＣＳデジタル放送受信用のアンテナ４３で受信した衛星デジタルテレビジョン放送信号は、入力端子４４を介して衛星デジタル放送用のチューナ４５に供給されることにより、所望のチャンネルの放送信号が選局される。
【００１１】
チューナ４５で選局された放送信号は、ＰＳＫ（Phase Shift Keying）復調器４６に供給されて、デジタルの映像信号及び音声信号に復調された後、信号処理部４７に出力される。
【００１２】
また、地上デジタル放送受信用のアンテナ４８で受信した地上デジタルテレビジョン放送信号は、入力端子４９を介して地上デジタル放送用のチューナ５０に供給されることにより、所望のチャンネルの放送信号が選局される。
【００１３】
チューナ５０で選局された放送信号は、ＯＦＤＭ（Orthogonal Frequency Division Multiplexing）復調器５１に供給されて、デジタルの映像信号及び音声信号に復調された後、信号処理部４７に出力される。
【００１４】
また地上波アナログ信号を受信するアナログチューナ５８も設けられている。アナログチューナ５８で受信された信号は、アナログ復調器５９で復調され信号処理部４７に出力される。
【００１５】
信号処理部４７は、ＰＳＫ復調器４６から供給されたデジタルの映像信号及び音声信号と、ＯＦＤＭ復調器５１から供給されたデジタルの映像信号及び音声信号と、アナログ復調器５９から供給された映像信号及び音声信号と、さらにライン入力端子からの映像信号及び音声信号とに対して、選択的に所定のデジタル信号処理を施し、グラフィック処理部５２及び音声処理部５３に出力している。
【００１６】
グラフィック処理部５２は、信号処理部４７から供給されるデジタルの映像信号に、ＯＳＤ（On Screen Display）信号生成部５４で生成されるＯＳＤ信号を重畳して出力する機能を有する。また、このグラフィック処理部５２は、信号処理部４７の出力映像信号と、ＯＳＤ信号生成部５４の出力ＯＳＤ信号とを選択的に出力すること、また、両出力を多重したり、画面の半分を構成するように組み合わせて出力することができる。
【００１７】
グラフィック処理部５２から出力されたデジタルの映像信号は、映像処理部５５に供給される。この映像処理部５５は、入力されたデジタルの映像信号を、映像表示部５７で表示可能なフォーマットのアナログ映像信号に変換し、映像表示部５７に出力して映像表示させる。
【００１８】
上記音声処理部５３は、入力されたデジタルの音声信号を、スピーカ５６で再生可能なフォーマットのアナログ音声信号に変換し、スピーカ５６に出力して音声再生させる。
【００１９】
ここで、デジタルテレビジョン放送受信装置４１は、上記した各種の受信動作を含むその全ての動作を制御部６１によって統括的に制御されている。
【００２０】
制御部６１は、ＣＰＵ（Central Processing Unit）等を内蔵している。操作部７１からの操作情報を受けたとき、または、リモートコントローラ７２から送出された操作情報を受光部７３から受信したとき、制御部６１は、その操作内容が装置に反映されるように各部を統括して制御している。操作部７１は、デジタルテレビジョン放送受信装置４１の表示パネル９０前面に配置されたタッチ式のキーモジュールである。
【００２１】
制御部６１は、主として、そのＣＰＵが実行する制御プログラムを格納したＲＯＭ（Read Only Memory）６１１と、該ＣＰＵに作業エリアを提供するＲＡＭ（Random Access Memory）６１２と、各種の設定情報及び制御情報等が格納される不揮発性メモリ６１３とを利用している。
【００２２】
制御部６１は明るさセンサー７８に接続されている。これにより周囲の明るさ情報を取得し、例えば画面の明るさを自動制御することが可能である。
【００２３】
制御部６１は、ＨＤＭＩ（High Definition Multimedia Interface）規格に合致したＨＤＭＩ I/F ８７を介してＨＤＭＩ端子８８に接続された各機器と情報の送受信を行なうことができる。
【００２４】
図２は、本実施の形態の映像表示装置に用いられるリモートコントローラ７２の外観を示す図である。  
このリモートコントローラ７２には、主として、電源キー１７ａ、入力切換キー１７ｂ、衛星デジタル放送チャンネルのダイレクト選局キー１７ｃ、地上波放送チャンネルのダイレクト選局キー１７ｄ、クイックキー１７ｅ、カーソルキー１７ｆ、決定キー１７ｇ、番組表キー１７ｈ、ページ切換キー１７ｉ、faceネット（ナビゲーション）キー１７ｊ、戻るキー１７ｋ、終了キー１７ｌ、青，赤，緑のカラーキー１７ｍｂ、１７ｍｒ、１７ｍｇ、チャンネルアップダウンキー１７ｎ、音量調整キー１７ｏ、メニューキー１７ｐ等が設けられている。
【００２５】
図３は、本実施の形態の映像表示装置の表示パネル９０の外観を示す図である。  
表示パネル９０の前面下部には、操作部７１、受光部７３、明るさセンサー７８が設けられている。操作部７１は、タッチ式のキーモジュールである。受光部７３は、リモートコントローラ７２から送出された操作情報を受信する。明るさセンサー７８は、表示パネル９０の周囲の明るさ情報を検知する。
【００２６】
図４は、本実施の形態映像表示装置の操作部７１の構成を示す図である。  
図４（１）は、キーの配置を示している。操作部７１には、INPUTキー７１ａ、MENUキー７１ｂ、Vol DOWNキー７１ｃ、Vol UPキー７１ｄ、CH DOWNキー７１ｅ、CH UPキー７１ｆ及びPowerキー７１ｇが備わっている。これらのキーは、ポインティングデバイスとして構成され、キー表面を接触することでいずれのキーが操作されたかが判別される。
【００２７】
また、図４（２）に示すように、キー７１ａ〜７１ｆの背面には、これらのキー７１ａ〜７１ｆを一括して照射するためのＬＥＤ２０ａ〜２０ｂと導光板２１とが配設される。またPowerキー７１ｇの背面には、キー７１ｇを照射するためのＬＥＤ２０ｃと導光板２２とが配設される。キー７１ａ〜７１ｆは、導光板２１とその両端に設けられたＬＥＤ２０ａ、２０ｂによって一括して照射される。両側にＬＥＤ２０ａ、２０ｂを設けているのは、複数のキー７１ａ〜７１ｆが均一に照射されるようにするためである。また、Powerキー７１ｇは、導光板２２とその片端に設けられたＬＥＤ２０ｃによって照射される。従って、導光板２１、２２が設けられた領域（範囲）が発光範囲となる。
【００２８】
また、図４（３）に示すように、図４（２）に示す発光範囲以外では遮光されるような導光板２３及びＬＥＤ２０ａ、２０ｂ、２０ｃ（不図示）を用いて、キー７１ａ〜７１ｇ全体を覆うように構成することができる。
【００２９】
図４（４）には、光漏れを防ぐためにキーの外周に設ける遮光テープを示している。この遮光テープによって、光漏れが防止されるとともに、操作機能ごとに区分され、操作し易い形態となっている。
【００３０】
上述の構成の操作部７１は、２つのグループのキーを備えていると把握することができる。第１のグループは、複数のキー７１ａ〜７１ｆで表されるように、一つの光源で一括して照射される少なくとも一つのキーを備える。第２のグループは、キー７１ｇで表されるように、個別に設けられた光源で照射される少なくとも一つのキーを備える。そして、第１と第２のグループのキーでは操作（タッチ）された際の動作が異なっている。なお、キー７１ａ〜７１ｆの背面にさらにそれぞれＬＥＤ（不図示）を設け、個別にキーを照射できるように構成しても良い。
【００３１】
図５は、本実施の形態の映像表示装置の第１のグループのキーの動作を説明するための図である。  
ユーザが最初に操作部７１の第１のグループのキーに接触した際は、図５（１）に示すように、まずはキー全体が点灯し、押されたキーに対応する実動作は行われない。ユーザがその次にキーに接触すると割当てられた動作が実行される。即ち、操作部７１は、２段階の操作によって所望の動作を開始する。なお、図５（２）に示すように、第２段階目のステップでキーに接触したときにそのキーのみが点灯するようにしても良い。
【００３２】
表示パネル９０の周囲が暗く操作部７１の第１グループの各キーが識別できない環境であっても、最初のタッチ操作でキー全体を点灯させることにより、ユーザは所望のキーを確実に認識することができ、誤操作を防止して操作性を向上させることができる。また常時ＬＥＤを点灯させておく必要が無いため、電力の無駄な消費を低減することができる。
【００３３】
図６は、本実施の形態の映像表示装置の第１のグループのキーの動作を示すフロー図である。  
Ｓ０１において、操作部７１は、第２グループに属するPowerキー７１ｇを除くいずれかのキーが押されたか否かを監視する。いずれかのキーが押されたときは（Ｓ０１  Ｙｅｓ）、Ｓ０２において、点灯タイマ（後述）が動作中か否かを調べる。点灯タイマが動作中でない場合（Ｓ０２  Ｎｏ）は、Ｓ０３において、キー７１ａ〜７１ｆの両端に設けられたＬＥＤ２０ａ、２０ｂを点灯して、キー７１ａ〜７１ｆを一括して照射する。Ｓ０４において、操作部７１は、点灯タイマを起動して、Ｓ０１に戻り次の操作を待機する。  
なお、この点灯タイマがタイムアップしたときは、ＬＥＤ２０ａ、２０ｂは消灯するようになされている。
【００３４】
点灯タイマが動作中の場合（Ｓ０２  Ｙｅｓ）は、Ｓ１０において、操作部７１は点灯タイマを新たにスタートし、点灯しているＬＥＤを消灯する。前回のキー操作が最初のキー操作である場合はＬＥＤ２０ａ、２０ｂを消灯する。前回のキー操作が２回目以降である場合は前回点灯したキー個別のＬＥＤを消灯する。Ｓ１１において、操作部７１は、押されているキー個別のＬＥＤを点灯して、そのキーのみを光らせる。そして、Ｓ１２において、操作部７１は押されたキーを特定する情報を制御部６１に出力し、制御部６１が押されたキーの動作を実行する。
【００３５】
なお、第１グループにキー個別のＬＥＤが設けられていない場合は、一括照明用のＬＥＤ２０ａ、２０ｂの点消灯のみを制御する。
【００３６】
続いて、本実施の形態の映像表示装置の第２のグループのキーの動作について説明する。第２のグループは、キー個別のＬＥＤを所定状態にて常時点灯することが好ましい。本実施形態でいう所定状態とは、例えば映像表示装置のスタンバイ状態や動作状態であり、例えば以下のような状態である。つまり、映像表示装置の電源「入」の状態で、リモートコントローラ７２の電源キー１７ａを押すと、映像表示や音声出力が止まるとともに、ＬＥＤが緑色から赤色や黄色等に変化し、一部の内部回路のみが動作した状態（スタンバイ状態）となる。また、動作状態とは、映像表示装置の電源「入」の状態であって映像や音声が出力される状態である。そして、これらの状態にて第２のグループに属するいずれかのキーが押されたときは、その一度の操作によって、制御部６１が押されたキーの動作を実行する。
【００３７】
この第２のグループでのキーは、所定状態（本実施形態では映像表示装置のスタンバイ状態や動作状態）にて、一度の操作にてキー操作が実行される状態に置かれている。即ち、第１のグループでの１度目のタッチがなされた状態にあると考えることもできる。第２のグループにこのような作用を付与する理由を、第２のグループのキーが「Ｐｏｗｅｒ」キーである場合を例として説明する。
【００３８】
上述のように、スタンバイ状態（映像表示装置の電源「入」の状態で、第２のグループのキー：「Ｐｏｗｅｒ」キーを押して、映像表示や音声出力が止まっている状態を含む）や動作状態においてキー自体を光らせる事により、例えば真っ暗な部屋で、更にはリモコンもない時にテレビの電源を入れようとした場合、ユーザは、一目でPOWERキーがTVセットの何処にあるかを判断することが可能となる。
【００３９】
このように、キー操作の内容を第１のグループの動作で有益な項目と、第２のグループの動作で応答すべき項目とに区分することで、ユーザフレンドリな操作手段を提供することができる。ここで、第２のグループのキーの操作前と操作時とで点灯色を変更しても良い。例えば、操作前では赤色で点灯し、操作時には緑又は青で点灯することにより、ユーザはより確実に操作がされたことを認識することができる。つまり、映像表示装置の主電源「切」の状態では第２のグループのキーを無点灯とし、スタンバイ状態では赤で点灯させ、操作後の動作状態では緑または青で点灯させる。このように、第２のグループのキーの点灯色を映像表示装置の状態に応じて異ならせることがユーザの利便性を考慮する上で好ましい。
【００４０】
なお、キーの（一括または個別）点消灯の制御は、制御部７１が行っても良く、制御部６１が行っても良い。
【００４１】
次に、上述の操作部７１を備えたデジタルテレビジョン放送受信装置４１のＯＳＤ表示動作について説明する。
【００４２】
図７は、本実施の形態の映像表示装置のＯＳＤ表示の有無を設定する手順を示すフロー図である。  
ＯＳＤ表示の有無をデジタルテレビジョン放送受信装置４１に設定する場合、Ｓ２１において、ユーザはリモートコントローラ７２のメニューキー１７ｐを押下する。そして、Ｓ２２において、表示されるメニュー画面（不図示）から、ＯＳＤ表示設定を選択する。
【００４３】
図８は、本実施の形態の映像表示装置のＯＳＤ表示設定の表示階層を示す図である。  
ＯＳＤ表示設定を選択すると、ＯＳＤ表示設定の対象となる項目が複数個表示される。これらの項目には、例えば音量調整（ＶＯＬＵＭＥ）、チャンネル選択（ＣＨＡＮＮＥＬ）、入力切換などが含まれる。ＯＳＤ表示設定の対象となる項目を選択すると、その項目についてＯＳＤ表示をするしないの設定を入力することができる。例えば音量（ＶＯＬＵＭＥ）のＯＳＤ表示を行わない場合は、ＯＳＤ表示設定→ＶＯＬＵＭＥ→ＯＦＦの順番に選択（クリック）する事で設定される。他の機能についてもこの機能と同様に設定することができる。
【００４４】
図７のＳ２３、Ｓ２４において、ユーザはＶＯＬＵＭＥを選択して、ＶＯＬＵＭＥについてのＯＳＤ表示のＯＮ／ＯＦＦを設定する。そして、Ｓ２５において、ユーザが再度リモートコントローラ７２のメニューキー１７ｐを押下すると、メニュー画面表示が終了する。
【００４５】
なお、ユーザは、リモートコントローラ７２のメニューキー１７ｐに代えて、操作部７１のMENUキー７１ｂを押下しても良い。
【００４６】
図９は、本実施の形態の映像表示装置の音量（ＶＯＬＵＭＥ）を調節する際の動作を示すフロー図である。この動作は、制御部６１が実行する。  
Ｓ３１において、制御部６１は、ＶＯＬＵＭＥキーが押下されたかどうかを判断する。即ち、リモートコントローラ７２の音量キー１７ｏが操作されたときは、制御部６１はその操作内容を受光部７３を介して取得し、操作部７１のVol DOWNキー７１ｃ、またはVol UPキー７１ｄが操作されたときは、制御部６１はその操作内容を操作部７１を介して取得する。
【００４７】
ＶＯＬＵＭＥキーが押下された場合（Ｓ３１  Ｙｅｓ）は、Ｓ３２において、制御部６１は、ＶＯＬＵＭＥについてＯＳＤ表示の設定がＯＮかＯＦＦを調べる。ＯＳＤ表示の設定がＯＮのとき（Ｓ３２  Ｎｏ）は、Ｓ３３において、グラフィック処理部５２が表示画面上にＶＯＬＵＭＥレベルを表示する。図１０は、本実施の形態の映像表示装置のＯＳＤ表示がＯＮのときのＶＯＬＵＭＥ表示の方法を説明する図である。図１０（１）に示す表示画面では、ＶＯＬＵＭＥレベルがＯＳＤ表示されている。このとき、図１０（２）に示すように操作部７１のキーには特別な表示を行わない。
【００４８】
ＯＳＤ表示の設定がＯＦＦのとき（Ｓ３２  Ｙｅｓ）は、Ｓ３３において、制御部６１は、押下されたキーはＶＯＬＵＭＥのＵＰ（＋）キーかＤＯＷＮ（−）キーのいずれかを調べる。押下されたキーがＶＯＬＵＭＥのＤＯＷＮ（−）キーの場合（Ｓ３４  Ｎｏ）は、Ｓ３５において、制御部６１は、音量を減少させ、操作部７１のVol DOWNキー７１ｃのＬＥＤをブリンク（点滅）させる。押下されたキーがＶＯＬＵＭＥのＵＰ（＋）キーの場合（Ｓ３４  Ｙｅｓ）は、Ｓ３６において、制御部６１は、音量を増加させ、操作部７１のVol UPキー７１ｄのＬＥＤをブリンク（点滅）させる。
【００４９】
図１１は、本実施の形態の映像表示装置のＯＳＤ表示がＯＦＦのときのＶＯＬＵＭＥ表示の方法を説明する図である。図１１（１）に示す表示画面には、ＯＳＤ表示が行われない。図１１（２）に示すように、ＶＯＬＵＭＥのＵＰ（＋）キーが操作されたときは、操作部７１のVol UPキー７１ｄが点滅表示する。なお、ＶＯＬＵＭＥのＤＯＷＮ（−）キーが操作されたときは、操作部７１のVol DOWNキー７１ｃが点滅表示する。
【００５０】
図９のＳ３７において、ＯＳＤ表示あるいはキーの点滅の開始から表示タイマの動作を開始する。そして、Ｓ３８において、所定時間経過するまでＯＳＤ表示あるいはキーの点滅を継続し、所定時間が経過した後、Ｓ３９において、表示タイマの動作を停止し、ＯＳＤ表示あるいはキーの点滅を停止する。
【００５１】
上述のように、ＯＳＤ表示がＯＦＦに設定されている項目について操作がされたときは、操作された項目に対応する操作部７１のキーを点滅させる。従って、ユーザは、ＯＳＤ表示の設定がＯＦＦであり、操作が有効に機能していることを直ちに理解することができる。  
なお、ＶＯＬＵＭＥ以外の項目、チャンネル選択、入力切換などの動作についても同様である。
【００５２】
[第１の実施の形態のバリエーション]
第１の実施の形態のバリエーションでは、ＯＳＤ表示がＯＦＦに設定されている項目について操作がされたときの操作部７１の動作が異なっている。
【００５３】
図１２は、バリエーションの形態のＯＳＤ表示がＯＦＦのときのＶＯＬＵＭＥ表示の方法を説明する図である。図１２（１）に示す表示画面には、ＯＳＤ表示が行われない。図１２（２）に示すように、ＶＯＬＵＭＥのＵＰ（＋）キーが操作されたときは、Powerキー７１ｇ以外のキーに対応するＬＥＤを、左から順に点灯し、ＶＯＬＵＭＥのＤＯＷＮ（−）キーが操作されたときは、逆に右から順に消灯させる。即ち、ＯＳＤ表示されるＶＯＬＵＭＥレベルを、操作部７１のキーの点灯状態によって表現する。従って、従来のＯＳＤ表示に類似した態様で、現在のおおよそのＶＯＬＵＭＥレベルを把握することができる。
【００５４】
また、音声に関連しては、消音（ミュート）機能があるが、ミュート機能についても同様に操作部７１のVol DOWNキー７１ｃ、Vol UPキー７１ｄを用いて表示する事が出来る。例えば、図１３に示すように２つのキーを同時に点灯することでミュートしている状態を表す。更に、ミュートしてる状態を表す発光色を、ミュートしていない場合の発光色と異なる色にすれば、ユーザはより明確に識別することができる。なお、音声ミュートに関しては、音声ボリュームのＯＳＤ表示の設定に対応して取り扱っても良く、個別にＯＳＤ表示の設定項目に設けても良い。
【００５５】
［効果］  
以上説明した実施の形態によれば、種々の効果を奏することができる。
【００５６】
操作部７１は２段階の操作によって所望の動作を開始する。表示パネル９０の周囲が暗く操作部７１の各キーが識別できない環境であっても、最初のタッチ操作でキー全体を点灯させることにより、ユーザは所望のキーを確実に認識することができ、誤操作を防止して操作性を向上させることができる。また常時ＬＥＤを点灯させておく必要が無いため、電力の無駄な消費を低減することができる。
【００５７】
ＯＳＤ表示をＯＦＦした場合、その代替に操作部７１の各キーの点灯表示を用いる。従って、ＯＳＤ表示の利便性を損なうことなく、画面上に表示されている情報或いは映像シーンが隠される事を防止することができる。
【００５８】
例えば、ＯＳＤ表示がＯＦＦに設定されている項目について操作がされたときは、操作された項目に対応する操作部７１のキーを点滅させる。従って、ユーザは、ＯＳＤ表示の設定がＯＦＦであり、操作が有効に機能していることを直ちに理解することができる。  
また、ＯＳＤ表示されるＶＯＬＵＭＥレベルを、操作部７１のキーの点灯状態によって表現する。従って、従来のＯＳＤ表示に類似した態様で、現在のおおよそのＶＯＬＵＭＥレベルを把握することができる。
【００５９】
[付記]  
なお、本実施の形態に記載された発明の態様は、次のように表すことができる。
【００６０】
（１）  映像表示装置において、  
前記映像表示装置を操作する項目ごとの複数のキーと、  
前記複数のキーを照射する第１の光源と、  
前記複数のキーの一つが操作された際、当該キーの操作を有効とせずに前記第１の光源を点灯し、前回のキー操作に続く所定期間内に前記複数のキーの一つが操作された際、前記第１の光源を消灯し、また、当該キーの操作を有効とすること  
を特徴とする映像表示装置。
【００６１】
（２）  前記映像表示装置を操作する他の項目の前記複数のキーと異なる少なくとも一つの他のキーと、  
前記他のキーを照射する第２の光源とを更に備え、  
前記映像表示装置が、前記他のキーに対応する所定の状態においては、当該他のキーに対応する前記第２の光源を点灯し、  
当該他のキーが操作された際、当該他のキーの操作を有効とすることを特徴とする（１）に記載の映像表示装置。
【００６２】
（３）  前記複数のキーそれぞれを照射する複数の第３の光源を更に備え、  
前回のキー操作に続く所定期間内に前記複数のキーの一つが操作された際、当該キーに対応する前記第３の光源を点灯することを特徴とする（１）に記載の映像表示装置。
【００６３】
（４）  表示部を更に備え、  
前記表示部にＯＳＤ（オン・スクリーン・ディスプレイ）表示を行うか否かを操作項目毎に設定する設定部と、  
ＯＳＤ表示を行わないと設定された操作項目について操作が行われたときは、前記ＯＳＤ表示に代えて少なくとも一つの前記第３の光源の点消灯を制御する点消灯制御部と  
を備えたことを特徴とする（３）に記載の映像表示装置。
【００６４】
（５）  前記複数のキーは、前記ＯＳＤ表示の対象となる項目を操作するキーを含み、  
前記点消灯制御部は、ＯＳＤを行わないと設定された設定項目について操作が行われたときは、この操作項目に対応するキーを照射する前記第３の光源の点消灯を制御することを特徴とする（４）に記載の映像表示装置。
【００６５】
（６）  前記点消灯制御部は、ＯＳＤを行わないと設定された設定項目について操作が行われたときは、この操作項目の現在レベルを表すように連続する前記複数のキーを照射する前記第３の光源の点消灯を制御することを特徴とする（４）に記載の映像表示装置。
【００６６】
（７）  前記操作項目が音声ボリュームのアップまたはダウンを含むことを特徴とする（５）又は（６）に記載の映像表示装置。
【００６７】
（８）  前記複数のキーは、音声ボリュームのアップ及びダウンを操作する２つのキーを含み、  
前記２つのキーそれぞれを照射する前記第２の光源と表示色の異なる第４の光源を更に備え、  
前記点消灯制御部は、ＯＳＤを行わないと設定された項目が音声ボリュームまたは音声ミュートであって、音声ミュートについて操作が行われたときは、前記音声ボリュームのアップ及びダウンを操作する２つのキーに対応する２つの前記第４の光源の点消灯を制御することを特徴とする（５）に記載の映像表示装置。
【００６８】
（９）  前記第１の光源は、前記複数のキーを両側から一括して照射する第１の照射手段と第２の照射手段とを含むことを特徴とする（１）に記載の映像表示装置。
【００６９】
（１０）  前記第２の光源は、前記他のキーを個別に照射する照射手段を含むことを特徴とする（９）に記載の映像表示装置。
【００７０】
（１１）  映像表示装置において、  
前記映像表示装置を操作する項目ごとの複数のキーと、  
前記複数のキーを照射する第１の光源と、  
前記複数のキーの一つが操作された際、当該キーの操作を有効とせずに前記第１の光源を点灯し、前回のキー操作に続く所定期間内に前記複数のキーの一つが操作された際に当該キーの操作を有効とすること  
を特徴とする映像表示装置。
【００７１】
なお、上述の各実施の形態で説明した機能は、ハードウェアを用いて構成するに留まらず、ソフトウェアを用いて各機能を記載したプログラムをコンピュータに読み込ませて実現することもできる。また、各機能は、適宜ソフトウェア、ハードウェアのいずれかを選択して構成するものであっても良い。
【００７２】
尚、本発明は、上記実施形態そのままに限定されるものではなく、実施段階ではその要旨を逸脱しない範囲で構成要素を変形して具体化できる。  
上記実施形態に開示されている複数の構成要素の適宜な組み合せにより種々の発明を形成できる。例えば、実施形態に示される全構成要素から幾つかの構成要素を削除してもよい。更に、異なる実施形態に亘る構成要素を適宜組み合せてもよい。
【符号の説明】
【００７３】
１７ｎ…チャンネルアップダウンキー、１７ｏ…音量調整キー、１７ｐ…メニューキー、２０ａ〜２０ｃ…ＬＥＤ、２１〜２３…導光板、４１…デジタルテレビジョン放送受信装置、５２…グラフィック処理部、５４…ＯＳＤ信号生成部、６１…制御部、７１…操作部、７１ａ〜７１ｆ…キー、７２…リモートコントローラ、９０…表示パネル。
【図１】
0005269969.tif 000002
【図２】
0005269969.tif 000003
【図３】
0005269969.tif 000004
【図４】
0005269969.tif 000005
【図５】
0005269969.tif 000006
【図６】
0005269969.tif 000007
【図７】
0005269969.tif 000008
【図８】
0005269969.tif 000009
【図９】
0005269969.tif 000010
【図１０】
0005269969.tif 000011
【図１１】
0005269969.tif 000012
【図１２】
0005269969.tif 000013
【図１３】
0005269969.tif 000014